(57)【要約】【課題】半田付け工程を省略して工数を削減し、リード線と外部接続端子との接続不良や外部接続端子の外れやすさを解消する。【解決手段】コンデンサ付き高圧用可変抵抗器の絶縁ケース１の内部に、コンデンサ８，４０〜４２を含む回路部と、この回路部の抵抗値を可変する調整手段とを設け、絶縁ケース１の一端部に端子台部２０〜２４が設ける。コンデンサ４０の一方のリード線４０ａの中間部に半径方向に突出する鍔部４０ｂを設け、端子台部２０に内外方向に貫通した第１の溝２０ａと第１の溝に対して直交する第２の溝２０ｂとを形成する。コンデンサ４０のリード線４０ａが第１の溝２０ａに嵌合されてリード線の半径方向に位置決めされ、鍔部４０ｂが第２の溝２０ｂに嵌合されてリード線４０ａの軸方向に位置決めされる。リード線４０ａの先端部が端子台部２０から突出して外部接続端子を構成する。【選択図】　　　　　　　　図４
2004039880.tif 000002
【特許請求の範囲】
【請求項１】
絶縁ケースの内部に、コンデンサを含む回路部と、この回路部の抵抗値を可変する調整手段とが設けられ、絶縁ケースの一端部に端子台部が設けられた高圧用可変抵抗器において、
上記コンデンサの一方のリード線の中間部に半径方向に突出する突起部が設けられ、
上記端子台部に内外方向に貫通した第１の溝と第１の溝に対して直交する第２の溝とが形成され、
上記コンデンサのリード線が上記第１の溝に嵌合されてリード線の半径方向に位置決めされるとともに、上記突起部が第２の溝に嵌合されてリード線の軸線方向に位置決めされ、
上記コンデンサのリード線の先端部が端子台部から突出して外部接続端子を構成していることを特徴とするコンデンサ付き高圧用可変抵抗器。
【請求項２】
上記突起部は、半径方向の全周に突出する鍔部であることを特徴とする請求項１に記載のコンデンサ付き高圧用可変抵抗器。
【請求項３】
絶縁ケースの内部に、コンデンサを含む回路部と、この回路部の抵抗値を可変する調整手段とが設けられ、絶縁ケースの一端部に端子台部が設けられた高圧用可変抵抗器において、
上記コンデンサの一方のリード線の中間部にクランク状に屈曲した屈曲部が形成され、
上記端子台部に平面視Ｌ字形またはクランク状の溝が形成され、
上記コンデンサのリード線の屈曲部が上記溝に嵌合されて位置決めされ、
上記コンデンサのリード線の先端部が端子台部から突出して外部接続端子を構成していることを特徴とするコンデンサ付き高圧用可変抵抗器。
【請求項４】
上記コンデンサは、ダイナミックフォーカス電圧カップリング用コンデンサあるいは平滑用コンデンサであることを特徴とする請求項１ないし３のいずれかに記載のコンデンサ付き高圧用可変抵抗器。
【発明の詳細な説明】
【０００１】
【発明の属する技術分野】
本発明はカラーテレビやディスプレイなどの焦点調整，明るさ調整に使われる高圧用可変抵抗器、特にその外部接続端子の固定構造に関するものである。
【０００２】
【従来の技術】
従来、カラーテレビやディスプレイなどの焦点調整や明るさ調整を行なうため、フォーカスパックと呼ばれる高圧用可変抵抗器が広く用いられている（例えば特開平１１−８７１１３号，特開平１１−２７３９１７号公報参照）。この可変抵抗器は、裏面が開口した樹脂製の絶縁ケースを備えており、この絶縁ケースの内部に回路部が収納され、回路部の抵抗値を可変する調整用回転軸が絶縁ケースの表面側より突出している。絶縁ケースの一端部には端子台部が設けられ、この端子台部に複数本の外部接続端子が外方へ突出するように取り付けられている。これら外部接続端子は、ディスプレイ装置のセット基板（図示せず）に挿入されて電気的に接続される。
【０００３】
図７は従来の外部接続端子５０と回路部から導出されたリード線５１との接続構造を示す。
外部接続端子５０は、ケースに一体形成された端子台部５２によって保持されている。外部接続端子５０は丸棒状端子であり、その中間部には鍔部５０ａが形成され、鍔部５０ａより基端部側にはほぼ直角に折曲された内部接続部５０ｂが形成され、先端部側には外方へ伸びる外部接続部５０ｃが形成されている。端子台部５２には、外部接続端子５０と嵌合する第１溝５２ａが形成されるとともに、鍔部５０ａと嵌合する第２溝５２ｂが第１溝５２ａと直交方向に形成されている。なお、外部接続端子５０を端子台部５２に保持した状態において、外部接続端子５０の内部接続部５０ｂが端子台部５２の上方に突出し、外部接続部５０ｃが側方へ突出している。そして、上方へ突出した内部接続部５０ｂに回路部のリード線５１が巻き付けられ、その後半田５３付けされる。
【０００４】
【発明が解決しようとする課題】
しかし、上記の接続構造では、リード線５１を外部接続端子５０に接続するために、リード線５１を外部接続端子５０に巻き付けた上で半田５３付けする必要があり、工数がかかるという問題がある。また、半田５３の付け忘れやいも半田による不具合が発生する可能性がある。
【０００５】
そこで、外部接続端子とリード線とを半田を使用せずに簡単に接続できる高圧用可変抵抗器が提案されている（特開２００２−１１８００２号公報参照）。
この高圧用可変抵抗器では、端子台部に内外方向に貫通した第１の溝と第１の溝に対して直交する第２の溝とを形成し、回路部から導出されたリード線の端部を第１の溝に挿入し、その上から第１，第２の溝に外部接続端子の軸部および鍔部をそれぞれ圧入嵌合することで、リード線を外部接続端子の鍔部によって第１の溝に押し付けて固定するものである。
【０００６】
しかしながら、この場合には、外部接続端子の圧入具合によって、リード線と外部接続端子との接続が不十分な場合があり、またリード線の反発力によって外部接続端子が端子台部の溝から外れやすくなる場合があった。
【０００７】
そこで、本発明の目的は、半田付け工程を省略して工数を削減するとともに、リード線と外部接続端子との接続不良や外部接続端子の外れやすさといった不具合を解消できるコンデンサ付き高圧用可変抵抗器を提供することにある。
【０００８】
【課題を解決するための手段】
上記目的を達成するため、請求項１にかかる発明は、絶縁ケースの内部に、コンデンサを含む回路部と、この回路部の抵抗値を可変する調整手段とが設けられ、絶縁ケースの一端部に端子台部が設けられた高圧用可変抵抗器において、上記コンデンサの一方のリード線の中間部に半径方向に突出する突起部が設けられ、上記端子台部に内外方向に貫通した第１の溝と第１の溝に対して直交する第２の溝とが形成され、上記コンデンサのリード線が上記第１の溝に嵌合されてリード線の半径方向に位置決めされるとともに、上記突起部が第２の溝に嵌合されてリード線の軸線方向に位置決めされ、上記コンデンサのリード線の先端部が端子台部から突出して外部接続端子を構成していることを特徴とするコンデンサ付き高圧用可変抵抗器を提供する。
【０００９】
また、請求項３にかかる発明は、絶縁ケースの内部に、コンデンサを含む回路部と、この回路部の抵抗値を可変する調整手段とが設けられ、絶縁ケースの一端部に端子台部が設けられた高圧用可変抵抗器において、上記コンデンサの一方のリード線の中間部にクランク状に屈曲した屈曲部が形成され、上記端子台部に平面視Ｌ字形またはクランク状の溝が形成され、上記コンデンサのリード線の屈曲部が上記溝に嵌合されて位置決めされ、上記コンデンサのリード線の先端部が端子台部から突出して外部接続端子を構成していることを特徴とするコンデンサ付き高圧用可変抵抗器を提供する。
【００１０】
請求項１では、回路部のコンデンサから導出された一方のリード線を、端子台部に設けられた第１の溝に嵌合させるとともに、リード線に設けた突起部を第２の溝に嵌合させる。突起部はリード線から半径方向に突出しているので、突起部が第２の溝に嵌合することで、リード線の軸方向の抜けを防止できる。そして、第１の溝にリード線を嵌合させることで、リード線の半径方向のずれを防止できる。このようにコンデンサのリード線を外部接続端子として利用することで、半田付けが不要となり、接続工数を削減できるとともに、半田付けにまつわる不良を解消できる。また、リード線に外力が作用しても、第１の溝と第２の溝とでリード線が確実に保持されるので、リード線が端子台部から脱落するのを防止できる。
本発明で使用されるコンデンサのリード線は、外部接続端子としての剛性を持つ必要があり、直径が０．５ｍｍ〜１．０ｍｍ程度のＣｕ，Ｆｅ，Ｎｉなどのワイヤリード線であれば使用可能である。
【００１１】
請求項２のように、突起部として、半径方向の全周に突出する鍔部を形成するのがよい。鍔部の場合には、第２の溝に円滑に圧入でき、リード線の軸方向の位置決めを安定させることができる。
【００１２】
請求項３のように、コンデンサの一方のリード線の中間部にクランク状に屈曲した屈曲部を形成し、この屈曲部を端子台部に形成された平面視Ｌ字形またはクランク状の溝に嵌合して位置決めすれば、リード線の軸方向および半径方向の抜けを確実に防止できる。
この場合には、リード線を折り曲げるだけであるから、加工が簡単である。
【００１３】
【発明の実施の形態】
以下、本発明の一実施形態である高圧用可変抵抗器を図１〜図４に基づいて説明する。この高圧用可変抵抗器はカラーＴＶやカラーディスプレイ装置の焦点、明るさ調整などに用いられるフォーカスパックの例を示している。
【００１４】
高圧用可変抵抗器は、ポリブチレンテレフタレートやポリフェニレンオキサイドのような難燃性の高い材料よりなる絶縁ケース１を備えている。ケース１の裏面側は開口しており、その周辺にはフライバックトランスと嵌合される周壁２が連続的に形成されている。ケース１内には、仕切壁３で仕切られた基板収納室４とコンデンサ収納室５とが並設されている。基板収納室４には表面に抵抗体パターンを有する基板６（図１の（ｂ）参照）が収納され、この収納室４にエポキシ系樹脂などの絶縁樹脂がモールドされて基板６の裏面側に絶縁樹脂層７が形成されている。
【００１５】
コンデンサ収納室５には平滑用高圧コンデンサ８が収納されている。高圧コンデンサ８の一端側には２本のリード線８ａ，８ｃが突出しており、これらリード線８ａ，８ｃは、後述する端子台部２３，２４を通して外部へ引き出されている。また、高圧コンデンサ８の他端側から突出する入力リード線８ｂはケース１に固定されたＦＢＴ接続用端子１１と接続されている。ＦＢＴ接続用端子１１の一端部にはケース１の周壁２より裏面方向へ突出した差し込み部１１ａが形成され、この差し込み部１１ａは、この高圧用可変抵抗器の裏面側をフライバックトランスと嵌合させた時、フライバックトランス側の出力部と電気的に接続される。
【００１６】
コンデンサ収納室５の端部にはブリーダ抵抗基板１２が縦方向、つまり基板面が第２収納室５の深さ方向となるように収納されている。なお、このブリーダ抵抗基板１２は必要に応じて設けられる。ブリーダ抵抗基板１２の両端部には出力側リード線１２ａと入力側リード線１２ｂとが接続されており、出力側リード線１２ａは基板６に取り付けられたフォーカス入力端子１５と接続され、入力側リード線１２ｂはＦＢＴ接続用端子１１と接続されている。
【００１７】
ケース１の一端側には、複数の柱状の端子台部２０〜２４が一体に形成されている。各端子台部２０〜２４には、コンデンサ４０〜４３，８の各リード線４０ａ〜４２ａ，８ａ，８ｃが挿通固定され、外部接続端子を構成している。この実施例では、リード線４０ａ，４１ａはスタティックフォーカス用端子、４２ａはダイナミックフォーカス用端子、８ａは高圧電圧安定化用の直流検出端子、８ｃは高圧に乗っているＡＣ分を相殺するための逆パルス注入端子である。なお、端子８ａ，８ｃの役割は逆であってもよい。
【００１８】
上記コンデンサ４０，４１はスタティック用コンデンサであり、コンデンサ４２はダイナミック用コンデンサである。これらコンデンサ４０〜４２のリード線４０ａ〜４２ａは断面円形のワイヤリード線である。また、高圧コンデンサ８の直流検出用リード線８ａおよび逆パルス注入用リード線８ｃも断面円形のワイヤリード線である。
ケース１の一端面には、上記リード線４０ａ〜４２ａおよび８ａ，８ｃと同一方向に突出する別の外部接続端子３０が突設されている。この外部接続端子３０はスクリーン出力用である。
図３はこの高圧用可変抵抗器の回路図を示す。
【００１９】
ケース１の表面側には複数の調整用回転軸４３〜４５が突出している。これら回転軸４３〜４５にはそれぞれ摺動子（図示せず）が取り付けられ、これら摺動子が上記基板６の表面側に形成された抵抗体パターン上を摺動することにより、その抵抗値を可変する調整手段を構成している。この実施例では、回転軸４３，４４はフォーカス電圧調整用、回転軸４５はスクリーン電圧調整用である。
【００２０】
ここで、上記端子台部２０〜２４へのリード線４０ａ〜４２ａおよび８ａ，８ｃの固定構造について、図４を参照して説明する。ここでは、コンデンサ４０のリード線４０ａと端子台部２０との固定構造を例にとって説明するが、他のリード線についても同様である。
スタティック用コンデンサ４０の一方のリード線４０ａの中間部には、半径方向に突出する円板状の鍔部４０ｂが形成されている。鍔部４０ｂは円板状に限らず、角板状または楕円状であってもよい。鍔部４０ｂを間にして、リード線４０ａの先端部には真っ直ぐ延びる外部接続部４０ｃが形成されている。
また、端子台部２０は角柱状に突出しており、この端子台部２０には絶縁ケース１の内外方向に貫通した第１の溝２０ａと第１の溝２０ａに対して直交する第２の溝２０ｂとが形成されている。第１の溝２０ａの幅はリード線４０ａの線径より小さく、第２の溝２０ｂの幅は鍔部４０ｂの厚みと同一またはこれより狭く設定するのがよい。第１の溝２０ａの内側面の深さ方向の中間部には、係合用凹部２０ｃが形成されている。
【００２１】
リード線４０ａを第１の溝２０ａに上方から嵌合すると、第１の溝２０ａが若干左右に押し広げられ、係合用凹部２０ｃに丸棒状のリード線４０ａが嵌合することで、溝深さ方向に位置決め固定される。同時に、鍔部４０ｂは第２の溝２０ｂに圧入または挿入されるため、リード線４０ａは軸方向にも位置決めされる　（図４の（Ｂ）参照）。
上記のようにリード線４０ａは、端子台部２０に軸方向および半径方向に位置決め固定される。固定状態で、リード線４０ａの外部接続部４０ｃは端子台部２０から水平方向に突出しており、外部と接続される。外部接続部４０ｃに引張力や押圧力などの外力が作用しても、リード線４０ａが端子台部２０に安定に固定されているので、抜けや外れが発生しない。
また、リード線４０ａを外部接続端子として利用したので、部品数を削減できるとともに、半田を使用せずに済み、接続作業を簡素化できる。
【００２２】
上記実施例では、第１の溝２０ａの深さ方向の中間部に係合用凹部２０ｃを形成し、この凹部２０ｃでリード線４０ａを位置決めしたが、これに限るものではない。
例えば、係合用凹部２０ｃを省略し、第１の溝２０ａを深さ方向に漸次幅狭とし、鍔部４０ｂが第２の溝２０ｂの溝底に当たるまで、リード線４０ａを第１の溝２０ａに圧入することで固定してもよい。
【００２３】
図５はコンデンサ４０のリード線４０ａと端子台部２０との固定構造の第２実施例を示す。
この実施例では、リード線４０ａに鍔部ではなく、突起４０ｄをつぶし加工により形成したものである。端子台部２０の形状は第１実施例（図４）と同様である。
この場合には、リード線４０ａの中間部を厚み方向につぶすだけで突起４０ｄを形成できるので、加工が容易である。
【００２４】
図６はコンデンサ４０のリード線４０ａと端子台部２０との固定構造の第３実施例を示す。
この実施例では、リード線４０ａの中間部に、２回直角に屈曲したクランク状の屈曲部４０ｅを形成し、端子台部２０には、平面視Ｌ字形の溝２０ｄを形成したものである。屈曲部４０ｅは、外部接続部となる真っ直ぐ延びる先端部４０ｅ１　と、折曲部４０ｅ２　と、コンデンサ４０へと繋がる基部４０ｅ３　とで構成されている。また、溝２０ｄは、前方に開口した縦溝２０ｄ１　と、これと直角で側方へ開口した横溝２０ｄ２　と、横溝２０ｄ２　と同方向に延び横溝２０ｄ２　より幅狭な予備的な溝２０ｄ３　とで構成されている。溝２０ｄ３　は省略してもよい。
【００２５】
リード線４０ａの屈曲部４０ｅを上記溝２０ｄに上方から嵌合させると、屈曲部４０ｅの先端部４０ｅ１　が縦溝２０ｄ１　に嵌合され、屈曲部４０ｅの折曲部４０ｅ２　が横溝２０ｄ２　に嵌合され、屈曲部４０ｅの基部４０ｅ３　が端子台部２０の側面に接触する。なお、縦溝２０ｄ１　の深さ方向中間部には、第１実施例と同様に係合用凹部２０ｃが形成され、リード線４０ａが位置決め固定される。
この場合には、リード線４０ａに鍔部や突起部を形成することなく、折り曲げ加工するだけでよいので、加工が簡単である。しかも、折り曲げ部分でリード線４０ａを位置決めするので、確実に抜け止めすることができる。
【００２６】
本発明は上記実施例に限定されるものではない。
上記実施例では、全てのコンデンサの一方のリード線を端子台部に嵌合して位置決め固定したが、一部のコンデンサのリード線は従来と同様に外部接続端子に巻き付け、その後半田付けしてもよい。
第３実施例の場合、端子台部２０の溝形状はＬ字形に限らず、クランク状であってもよい。クランク形状の場合、さらに固定強度が増す。
上記実施例では、２つのフォーカス調整用の回転軸と、１つのスクリーン調整用の回転軸とを有するいわゆるダブルフォーカスタイプの高圧用可変抵抗器について説明したが、１つのフォーカス調整用の回転軸と、１つのスクリーン調整用の回転軸とを有するタイプの高圧用可変抵抗器にも本発明は適用可能である。
また、外部接続端子となるリード線はアース用，ＤＦ用に限らない。
【００２７】
【発明の効果】
以上説明したように、請求項１にかかる発明によれば、コンデンサから導出されたリード線を端子台部の第１の溝に嵌合すると同時に、第２の溝に突起部を嵌合するようにしたので、リード線をそのまま外部接続端子として利用することができる。そのため、従来のようなリード線と外部接続端子との半田付けをなくすことができ、工数を削減できるとともに、部品点数も削減できる。さらに、第１の溝と第２の溝とでリード線を軸方向および半径方向に安定に固定しているので、リード線に外力が加わっても、リード線のずれや脱落を防止できる。
【００２８】
また、請求項３にかかる発明では、リード線をクランク状に折り曲げ、このクランク部分を端子台部の溝に嵌合させて位置決め固定するので、請求項１と同様にリード線を安定にかつ半田付けを行わずに固定できる。しかも、リード線の加工が容易であり、リード線の強度を損なうことがない。
【図面の簡単な説明】
【図１】本発明にかかる高圧用可変抵抗器の（ａ）は背面図、（ｂ）は側面図、（ｃ）は底面図である。
【図２】図１のＸ−Ｘ線断面図である。
【図３】図１の高圧用可変抵抗器の回路図である。
【図４】コンデンサのリード線と端子台部との固定方法を示す斜視図であり、（Ａ）は固定前、（Ｂ）は固定後である。
【図５】本発明の第２実施例におけるコンデンサのリード線と端子台部との固定方法を示す斜視図である。
【図６】本発明の第３実施例におけるコンデンサのリード線と端子台部との固定方法を示す斜視図であり、（Ａ）は固定前、（Ｂ）は固定後である。
【図７】従来の外部接続端子とリード線との接続方法を示す図である。
【符号の説明】
１　　　　　　　　　　　　　　　　絶縁ケース
８　　　　　　　　高圧コンデンサ
４０〜４２　　　　コンデンサ
８ａ，８ｃ，４０ａ〜４２ａ　　　　　　リード線
２０〜２４　　　　　　　　端子台部
２０ａ　　　　　　　　第１溝
２０ｂ　　　　　　第２溝
４０ｂ　　　　　　　　　　　　鍔部
４０ｃ　　　　　　外部接続部
【図１】
2004039880.tif 000003
【図２】
2004039880.tif 000004
【図３】
2004039880.tif 000005
【図４】
2004039880.tif 000006
【図５】
2004039880.tif 000007
【図６】
2004039880.tif 000008
【図７】
2004039880.tif 000009